(57)【要約】      （修正有）【課題】和紙や、洋紙、不織布、フィルム類等の収納ケースに関し、収納ケースを上下に複数段重ねて使用することができ、各種用紙の取り出しを容易に行うことができる収納ケースを提供する。【解決手段】用紙の収納ケース１であって、用紙が巻装されたロール部材３と、ロール部材３の両側を回転自在に保持し、上部に突出部７が設けられたサイドガイド板４ａ，４ｂと、ロール部材３及びサイドガイド板が収納され、底部に開口が形成された筐体２とを有し、サイドガイド板に設けられた突出部７は、同じ構成の収納ケースの筐体の底部に形成された開口に嵌入する構成である。【選択図】図１
0003146439.tif 000002
【実用新案登録請求の範囲】
【請求項１】
用紙が巻装されたロール部材と、
前記ロール部材の両側を回転自在に保持し、上部に突出部が設けられたサイドガイド板と、
前記ロール部材及びサイドガイド板が収納され、底部に開口が形成された筐体と、を有し、
前記サイドガイド板に設けられた突出部は、同じ構成の収納ケースの筐体の底部に形成された開口に嵌入することを特徴とする収納ケース。
【請求項２】
前記ロール部材の両側が、前記サイドガイド板に設けられたＵ字形のロール軸保持部に嵌入することを特徴とする請求項１記載の収納ケース。
【請求項３】
前記収納ケースは上下に載置され、上側の収納ケースは下側の収納ケースに設けられた前記サイドガイド板の収納ケース保持部に保持されることを特徴とする請求項１、又は２記載の収納ケース。
【請求項４】
前記用紙は、前記上下に載置された収納ケース間に形成された開口から引き出されることを特徴とする請求項３記載の収納ケース。
【請求項５】
前記収納ケースは三段以上載置されていることを特徴とする請求項３、又は４記載の収納ケース。
【請求項６】
前記サイドガイド板には下部に凹部が形成され、該凹部は下側に位置する収納ケースからのサイドガイド板の突出部と嵌合することを特徴とする請求項１、２、３、４、又は５記載の収納ケース。
【考案の詳細な説明】
【技術分野】
【０００１】
本考案は、和紙や、洋紙、不織布、フィルム類等の収納ケースに関する。
【背景技術】
【０００２】
今日、和紙や、洋紙、不織布、フィルム類等が、デザイン用紙や包装用紙、その他各種用途に使用されている。このような用紙は通常ケースに収納され、必要に応じて１枚ずつ取り出し、使用される。また、ロール状に巻装され、必要に応じて引き出して使用される。
【０００３】
特許文献１は用紙をロール状に巻き、蓋を開けることなく適切量引出し可能な収納ケースの考案である。
【０００４】
【特許文献１】特開２００３−１５５０８２号公報
【考案の開示】
【考案が解決しようとする課題】
【０００５】
しかしながら、上記従来の収納ケースでは、収納ケースを単独で使用するのみであり、例えば収納ケースを上下に複数段重ねて使用することはできない。
そこで、本考案の収納ケースを上下に複数段重ねて使用することはでき、和紙や洋紙等の取り出しを簡単に行うことができる収納ケースを提供するものである。
【課題を解決するための手段】
【０００６】
上記課題は第１の考案によれば、用紙が巻装されたロール部材と、前記ロール部材の両側を回転自在に保持し、上部に突出部が設けられたサイドガイド板と、前記ロール部材及びサイドガイド板が収納され、底部に開口が形成された筐体とを有し、前記サイドガイド板に設けられた突出部は、同じ構成の収納ケースの筐体の底部に形成された開口に嵌入する用紙の収納ケースを提供することによって達成できる。
【０００７】
また、上記課題は第２の考案によれば、前記ロール部材の両側が、前記サイドガイド板に設けられたＵ字形のロール軸保持部に嵌入する収納ケースを提供することによって達成できる。
【０００８】
また、上記課題は第３の考案によれば、前記収納ケースは上下に載置され、上側の収納ケースは下側の収納ケースに設けられた前記サイドガイド板の収納ケース保持部に保持される収納ケースを提供することによって達成できる。
【０００９】
また、上記課題は第４の考案によれば、前記用紙は、前記上下に載置された収納ケース間に形成された開口から引き出される収納ケースを提供することによって達成できる。
【００１０】
また、上記課題は第５の考案によれば、前記収納ケースは三段以上載置されている収納ケースを提供することによって達成できる。
【００１１】
さらに、上記課題は第６の考案によれば、前記サイドガイド板には下部に凹部が形成され、該凹部は下側に位置する収納ケースからのサイドガイド板の突出部と嵌合する収納ケースを提供することによって達成できる。
【考案の効果】
【００１２】
本考案によれば、収納ケースを上下に複数段重ねて使用することができ、和紙や、洋紙、不織布、フィルム類等の取り出しを簡単に行うことができる。また、収納ケースを上下に複数段重ねて使用することができので、場所を取らずコンパクトに設置することができる。
【考案を実施するための最良の形態】
【００１３】
以下、本考案の実施の形態を図面を参照しながら説明する。
図１は、本実施形態の収納ケースの斜視図である。両図において、収納ケース１は筐体２、ロール部材３、サイドガイド板４ａ、４ｂで構成されている。
【００１４】
筐体２には上記ロール部材３、及びサイドガイド板４ａ、４ｂが収納され、例えばダンボールの材料で構成されている。また、筐体２の底面の所定位置には２つの開口２ａ、２ｂが形成されている。図２は上記筐体２の裏面を示す図であり、筐体２の底面の左右に上記開口２ａ、２ｂが形成されていることが分かる。
【００１５】
ロール部材３は木製のロール軸３ａを有し、このロール軸３ａに和紙や、洋紙、不織布、フィルム類等（以下、部材５で示す）が巻装されている。また、ロール軸３ａは、例えば右側をサイドガイド板４ａによって回転自在に保持され、左側をサイドガイド板４ｂによって回転自在に保持されている。したがって、部材５の先端を手前に引くことによって、ロール軸３ａが回転し、同図の矢印方向に部材５を引き出すことができる。
【００１６】
図３は上記サイドガイド板４ａ、４ｂの外観を示す斜視図である。サイドガイド板４ａ、４ｂは上記ロール軸３ａを保持するロール軸保持部６、突出部７、収納ケース保持部８、及び凹部９で構成されている。ロール軸保持部６は上記のようにロール軸３ａが嵌入し、ロール軸３ａを回転可能に保持する。また、上記突出部７、及び収納ケース保持部８は、収納ケース１を後述するように上下に組み合わせる際使用する部分であり、突出部７は収納ケース１の上に同じ構成の収納ケースを載せた際、前述の収納ケースの底部に形成された開口２ａ、２ｂに嵌入する。また、収納ケース保持部８はその状態で上に載置された収納ケースを保持する機能を有する。
【００１７】
尚、凹部９は収納ケース１が下に位置する収納ケース上に載る際、下に位置する収納ケース１のサイドガイド板４ａ、４ｂの突出部７の突き出しを回避する機能を有する。
【００１８】
図４は上記構成の収納ケース１を上下に設置した状態を示す斜視図である。この状態は、前述のように上記構成の収納ケース１（１ａ）の上に、同じ構成の収納ケース１（１ｂ）を載置したものであり、下側の収納ケース１ａに使用されているサイドガイド板４ａ、４ｂの突出部７が、上側の収納ケース１ｂの底部に形成された開口２ａ、２ｂに嵌入している状態である。また、上側の収納ケース１ｂの重さは、下側の収納ケース１ａに使用されたサイドガイド板４ａ、４ｂの収納ケース保持部８によって支えられている。
【００１９】
このように構成することにより、上下の収納ケース１ａ、１ｂは構成上一体となり、複数の部材５の収納ケース１をコンパクトに設置することができる。また、それぞれの収納ケース１ａ、１ｂに収納された部材５は、上下の組みわされた収納ケース１ａ、１ｂ間に形成された開口１０から手前側に引き出すことができ、作業性の優れた収納ケースとすることができる。また、上記開口１０は、例えば上下に１０ｃｍの幅があり、部材５を引き出す際、容易である。
【００２０】
また、図４に示す構成では、収納ケース１を上下二段に組み合わせたが、更に三段、四段、・・・と組み合わせる構成としてもよい。このように構成することにより、例えば色彩や模様の異なる部材５を収納した収納ケース１（１ａ、１ｂ、・・・）を載置し、多種類の部材５を引き出しながら使用することができ、収納ケースをより効率よく使用することができる。
尚、収納ケース１（１ａ、１ｂ等）は、搬送の際には専用の蓋を使用して運搬され、部材５に埃や塵が付着しないように配慮されている。
【００２１】
また、本例において、収納ケース１（１ａ、１ｂ等）はダンボールで構成したが、例えばプラスチック等の材料で構成してもよい。また、ロール軸３ａについても、木製に限定されるものではない。
【図面の簡単な説明】
【００２２】
【図１】本実施形態の収納ケースの斜視図である。
【図２】筐体の裏面を示す図である。
【図３】サイドガイド板の斜視図である。
【図４】収納ケースを上下に設置した状態を示す斜視図である。
【符号の説明】
【００２３】
１、１ａ、１ｂ・・収納ケース
２・・・筐体
２ａ、２ｂ・・開口
３・・・ロール部材
４ａ、４ｂ・・サイドガイド板
５・・・部材
６・・・ロール軸保持部
７・・・突出部
８・・・収納ケース保持部
９・・・凹部
１０・・開口
【図１】
0003146439.tif 000003
【図２】
0003146439.tif 000004
【図３】
0003146439.tif 000005
【図４】
0003146439.tif 000006